(57)【特許請求の範囲】
【請求項１】
空気中の水分を除湿する除湿装置本体と、この除湿装置本体の下部に出し入れ自在に設けられる貯水槽と、この貯水槽に溜まった水の量が見えるように設けられた開口部と、この開口部を上方から照射するように前記除湿装置本体内に設けられた照明部と、除湿装置本体の周囲雰囲気湿度を検出する湿度センサーとを備え、前記照明部は、複数色の照明手段を備え、前記除湿装置本体の通電時に前記湿度センサーの検知湿度に対応して点灯させる色を変えて点灯する構成とした除湿装置。
【請求項２】
照明部に設けられる複数色の照明手段と、貯水槽内部に貯水された水量により位置が変わるように設けられたフロートと、このフロートの位置を複数段階で検知する水位検知部とを備え、前記照明部に設けられる複数色の照明手段は、前記水位検知部の複数段階の入力値に合わせて色を変える構成とした請求項１記載の除湿装置。
【請求項３】
除湿装置本体の周囲雰囲気湿度を検出する湿度センサーと、照明部に設けられた複数色の照明手段と、この照明手段の明るさを可変する調光部と、貯水槽内部に貯水された水の量により位置が変わるように設けられたフロートと、このフロートの位置を複数段階で検知する水位検知部とを備え、前記照明部の照明手段は、前記湿度センサーの検知湿度に合わせ点灯させる色を変えるとともに前記水位検知部の複数段階の入力値に合わせ、前記調光部により明るさを変える構成とした請求項１記載の除湿装置。
【請求項４】
照明部に赤、緑、青のチップを１つのボディ内部に入れたマルチカラーＬＥＤを設けた請求項２または３記載の除湿装置。
【請求項５】
照明部に赤、緑、青のチップを１つのボディ内部に入れたマルチカラーＬＥＤを駆動する駆動部を備え、前記駆動部は前記マルチカラーＬＥＤの発光色を変化させる際にはグラデーション的に変化させる構成とした請求項２または３記載の除湿装置。
【請求項６】
貯水槽内部に貯水された水の量により位置が変わるように設けられたフロートと、このフロートの位置を複数段階で検知する水位検知部と、複数個の表示手段からなる水位表示部とを備え、前記水位検知部の出力に合わせて前記水位表示部の表示を複数段階に変える構成とした請求項２または３記載の除湿装置。
【請求項７】
除湿装置本体が運転しているときには、水位表示部の複数個の表示手段を順次点灯させる構成とした請求項６記載の除湿装置。
【請求項８】
空気中の水分を除湿する除湿装置本体と、この除湿装置本体の下部に出し入れ自在に設けられる貯水槽と、この貯水槽に溜まった水の量が見えるように前記除湿装置本体に設けた開口部と、この開口部の上方から照らすように設けられた照明部と、前記除湿装置本体に設けられた周囲の明るさを検知する照度検知部とを備え、前記照明部は、前記照度検知部が周囲が暗くなったと判断したときに点灯する構成とした請求項１〜５記載の除湿装置。
【請求項９】
空気中の水分を除湿する除湿装置本体と、この除湿装置本体の下部に出し入れ自在に設けられる貯水槽と、この貯水槽に溜まった水の量が見えるように前記除湿装置本体に設けられた開口部と、この開口部を上方から照らすように設けられた照明部と、前記除湿装置本体に設けられる貯水槽の有無を検知する貯水槽検知部とを備え、前記照明部は、前記貯水槽検知部が前記貯水槽の有ることを検知したときには点灯し、前記貯水槽のないことを検知したときには消灯する構成とした請求項１〜５記載の除湿装置。
【請求項１０】
空気中の水分を除湿する除湿装置本体と、この除湿装置本体の下部に出し入れ自在に設けられる貯水槽と、この貯水槽に溜まった水の量が見えるように除湿装置本体に設けられた開口部と、この開口部を上方から照らすように設けられた照明部と、この照明部をＯＮ・ＯＦＦする照明スイッチとを備え、前記照明部は、前記照明スイッチをＯＮしたときは点灯し、ＯＦＦしたときには消灯する構成とした請求項１〜５記載の除湿装置。
【請求項１１】
除湿装置本体の周囲雰囲気湿度を検出する湿度センサーと、照明部に設けられた複数色の照明手段と、この照明手段の明るさを可変する調光部と、貯水槽内部に溜まった水の量により位置が変わるように設けられたフロートと、このフロートの位置を複数段階で検知する水位検知部とを備え、前記水位検知部の複数段階の入力値の値が、設定値以上となったときから前記照明部を点灯する構成とした請求項１〜５記載の除湿装置。
【発明の詳細な説明】
【技術分野】
【０００１】
本発明は、一般家庭で使用される除湿装置に関する。
【背景技術】
【０００２】
従来、この種の除湿装置の一例として、結露水を受ける排水タンクを使用した除湿機が知られている（例えば、特許文献１参照）。
【０００３】
以下、その除湿機について図１４および図１５を参照しながら説明する。
【０００４】
図に示すように、除湿機の本体１０１内をドレン受１０２と仕切板１０３により上部室１０４と中部室１０５および下部室１０６に仕切り、上部室１０４には蒸発器１０７と凝縮器１０８および送風ファン１０９を設け、中部室１０５には蒸発器１０７からの除湿水を受ける排水タンク１１０を引き出し自在に設け、排水タンク１１０には除湿水の水位を見る水位窓１１２を設け、下部室１０６には圧縮機１１３を配置し構成していた。
【特許文献１】特開２００２−３４９８９９号公報（［００１０］〜［００１２］、図１、図２）
【発明の開示】
【発明が解決しようとする課題】
【０００５】
このような従来の除湿機では、除湿機の周囲が暗い場合には、水位窓１１２から排水タンク１１０の水位を透視することができないという課題があり、周囲が暗くても貯水槽内の水位が使用者に容易に見えるようにして使い勝手を良くする事が要求されている。
【０００６】
本発明は、このような従来の課題を解決するものであり、周囲が暗くても貯水槽内に溜まった蒸溜水の水位が容易に見えるようにして使い勝手の良い除湿装置を提供することを目的としている。
【課題を解決するための手段】
【０００７】
本発明の除湿装置は上記目的を達成するために、空気中の水分を除湿する除湿装置本体と、この除湿装置本体の下部に出し入れ自在に設けられる貯水槽と、この貯水槽に溜まった水の量が見えるように設けられた開口部と、この開口部を上方から照射するように前記除湿装置本体内に設けられた照明部と、除湿装置本体の周囲雰囲気湿度を検出する湿度センサーとを備え、前記照明部は、複数色の照明手段を備え、前記除湿装置本体の通電時に前記湿度センサーの検知湿度に対応して点灯させる色を変えて点灯する構成としたものである。
【０００８】
この手段により、除湿装置本体の周囲が暗くても、使用者に水位が見えるとともに、現在湿度の目安がわかるので使い勝手の良い除湿装置が得られる。
【００１１】
また、他の手段は、照明部に設けられる複数色の照明手段と、貯水槽内部に貯水された水量により位置が変わるように設けられたフロートと、このフロートの位置を複数段階で検知する水位検知部とを備え、前記照明部に設けられる複数色の照明手段は、前記水位検知部の複数段階の入力値に合わせて色を変える構成としたものである。
【００１２】
この手段により、使用者が斜め上方から開口部を見て水位を確認しなくても、正確な水位が視覚的にわかり易くなる除湿装置が得られる。
【００１３】
また、他の手段は、除湿装置本体の周囲雰囲気温度を検出する湿度センサーと、照明部に設けられた複数色の照明手段と、この照明手段の明るさを可変する調光部と、貯水槽内部に貯水された水量により位置が変わるように設けられたフロートと、このフロートの位置を複数段階で検知する水位検知部とを備え、前記照明部の照明手段は、前記湿度センサーの検知湿度に合わせ点灯させる色を変えるとともに、前記水位検知部の複数段階の入力値に合わせ、前記調光部により明るさを変える構成としたものである。
【００１４】
この手段により、離れた位置からでも、明るさにより水位がわかり、色によって現在湿度もわかり易くなる除湿装置が得られる。
【００１５】
また、他の手段は、照明部に赤、青、緑のチップを１つのボディ内部に入れたマルチカラーＬＥＤを設けたものである。
【００１６】
この手段により、設計の自由度を向上することができる除湿装置が得られる。
【００１７】
また、他の手段は、照明部に赤、青、緑のチップを１つのボディ内部に入れたマルチカラーＬＥＤを駆動する駆動部を備え、前記駆動部は、前記マルチカラーＬＥＤの発光色を変化させる際にはグラデーション的に変化させる構成としたものである。
【００１８】
この手段により、見た目の視覚性が良くなりインテリア性が向上する除湿装置が得られる。
【００１９】
また、他の手段は、貯水槽内部に貯水された水の量により位置が変わるように設けられたフロートと、このフロートの位置を複数段階で検知する水位検知部と、複数個の表示手段からなる水位表示部とを備え、前記水位検知部の出力に合わせて前記水位表示部の表示を複数段階に変える構成としたものである。
【００２０】
この手段により、正確な水位が視覚的にわかり、使い勝手が向上する除湿装置が得られる。
【００２１】
また、他の手段は、除湿装置本体が運転しているときには水位表示部の複数個の表示手段を順次点灯させる構成としたものである。
【００２２】
この手段により、除湿動作をしていることが視覚的にわかりやすく出来る除湿装置が得られる。
【００２３】
また、他の手段は、空気中の水分を除湿する除湿装置本体と、この除湿装置本体の下部に出し入れ自在に設けられる貯水槽と、この貯水槽に溜まった水の量が見えるように前記除湿装置に設けた開口部と、この開口部の上方から照らすように設けられた照明部と、前記除湿装置本体に設けられた周囲の明るさを検知する照度検知部とを備え、前記照明部は前記照度検知部周囲が暗くなったと判断したときに点灯する構成としたものである。
【００２４】
この手段により、消費電力が少なくなり省エネ性が向上する除湿装置が得られる。
【００２５】
また、他の手段は、空気中の水分を除湿する除湿装置本体と、この除湿装置本体の下部に出し入れ自在に設けられる貯水槽と、この貯水槽に溜まった水の量が見えるように前記除湿装置本体に設けられた開口部と、この開口部を上方から照らすように設けられた照明部と、前記除湿装置本体に設けられる貯水槽の有無を検知する貯水槽検知部とを備え、前記照明部は、前記貯水槽検知部が前記貯水槽の有ることを検知したときには点灯し、前記貯水槽のないことを検知したときには消灯する構成としたものである。
【００２６】
この手段により消費電力が少なくなり省エネ性が向上する除湿装置が得られる。
【００２７】
また、他の手段は、空気中の水分を除湿する除湿装置本体と、この除湿装置本体の下部に出し入れ自在に設けられる貯水槽と、この貯水槽に溜まった水の量が見えるように除湿装置本体に設けられた開口部と、この開口部を上方から照らすように設けられた照明部と、この照明部をＯＮ・ＯＦＦする照明スイッチとを備え、前記照明部は前記照明スイッチをＯＮしたときに点灯し、ＯＦＦしたときに消灯する構成としたものである。
【００２８】
この手段により、省エネ性が向上する除湿装置が得られる。
【００２９】
また、他の手段は、除湿装置本体の周囲雰囲気湿度を検出する湿度センサーと、照明部に設けられた複数色の照明手段と、この照明手段の明るさを可変する調光部と、貯水槽内部に溜まった水の量により位置が変わるように設けられたフロートと、このフロートの位置を複数段階で検知する水位検知部とを備え、前記水位検知部の複数段階の入力値の値が設定値以上となったときから前記照明部を点灯する構成としたものである。
【００３０】
この手段により、使い勝手と省エネ性が向上する除湿装置が得られる。
【発明の効果】
【００３１】
本発明によれば、除湿装置本体周囲が暗くても、使用者には貯水槽の水位が見えるようになり、使い勝手が良くなるとともに現在湿度の目安がわかるという効果のある除湿装置を提供できる。
【００３３】
また、正確な水位が視覚的にわかり易くなるという効果のある除湿装置を提供できる。
【００３４】
また、離れた位置からでも水位がわかり、現在湿度もわかり易くなるという効果のある除湿装置を提供できる。
【００３５】
また、除湿動作をしていることが視覚的にわかり易くできるという効果のある除湿装置を提供できる。
【００３６】
また、消費電力が少なくなり、省エネ性が向上するという効果のある除湿装置を提供できる。
【００３７】
また、使い勝手と省エネ性が向上するという効果のある除湿装置を提供できる。
【発明を実施するための最良の形態】
【００３８】
本発明の請求項１記載の発明は、空気中の水分を除湿する除湿装置本体と、この除湿装置本体の下部に出し入れ自在に設けられる貯水槽と、この貯水槽に溜まった水の量が見えるように設けられた開口部と、この開口部を上方から照射するように前記除湿装置本体内に設けられた照明部と、除湿装置本体の周囲雰囲気湿度を検出する湿度センサーとを備え、前記照明部は、複数色の照明手段を備え、前記除湿装置本体の通電時に前記湿度センサーの検知湿度に対応して点灯させる色を変えて点灯する構成としたものであり、除湿装置本体に通電されていつでも運転できる状態にあるときは、照明部が点灯しているので、貯水槽に溜まった水の量を見るために除湿装置本体に設けられた開口部が照射され、離れた場所からでも貯水槽に溜まっている水の量が見えることとなるとともに、湿度センサーの検知湿度に対応して点灯させる色を変えて点灯することで現在の湿度がどれぐらいであるかもわかり、使い勝手が向上するという作用を有する。
【００４０】
また、請求項２記載の発明は、照明部に設けられる複数色の照明手段と、貯水槽内部に貯水された水量により位置が変わるように設けられたフロートと、このフロートの位置を複数段階で検知する水位検知部とを備え、前記照明部に設けられる複数色の照明手段は、前記水位検知部の複数段階の入力値に合わせて色を変える構成としたものであり、開口部からの水位の位置が少し確認し難い離れた位置からでも色によって水位がわかるので使い勝手が向上するという作用を有する。
【００４１】
また、請求項３記載の発明は、除湿装置本体の周囲雰囲気湿度を検出する湿度センサーと、照明部に設けられた複数色の照明手段と、この照明手段の明るさを可変する調光部と、貯水槽内部に貯水された水の量により位置が変わるように設けられたフロートと、このフロートの位置を複数段階で検知する水位検知部とを備え、前記照明部の照明手段は、前記湿度センサーの検知湿度に合わせ点灯させる色を変えるとともに、前記水位検知部の複数段階の入力値に合わせ、前記調光部により明るさを変える構成としたものであり、開口部からの水位の位置が少し確認し難い離れた位置からでも、明るさにより水位がわかり、さらにその色によって現在湿度もわかり使い勝手が向上するという作用を有する。
【００４２】
また、請求項４記載の発明は、照明部に赤、青、緑のチップを１つのボディ内部に入れたマルチカラーＬＥＤを設けたものであり、除湿装置本体内でのスペースをあまり使わなくても取り付けできるので、設計の自由度が向上するという作用を有する。
【００４３】
また、請求項５記載の発明は、照明部に赤、青、緑のチップを１つのボディ内部に入れたマルチカラーＬＥＤを駆動する駆動部を備え、前記駆動部は、前記マルチカラーＬＥＤの発光色を変化させる際にはグラデーション的に変化させる構成としたものであり、見た目の視覚性がよくなりインテリア性が向上するという作用を有する。
【００４４】
また、請求項６記載の発明は、貯水槽内部に貯水された水の量により位置が変わるように設けられたフロートと、このフロートの位置を複数段階で検知する水位検知部と、複数個の表示手段からなる水位表示部とを備え、前記水位検知部の出力に合わせて前記水位表示部の表示を複数段階に変える構成としたものであり、使用者が視覚的に貯水槽内の水がどれだけ溜まっているのかがわかり易くなり、使い勝手が向上するという作用を有する。
【００４５】
また、請求項７記載の発明は、除湿装置本体が運転しているときには、水位表示部の複数個の表示手段を順次点灯させる構成としたものであり、除湿装置が除湿動作をしていることを視覚的にわかり易くできるという作用を有する。
【００４６】
また、請求項８記載の発明は、空気中の水分を除湿する除湿装置本体と、この除湿装置本体の下部に出し入れ自在に設けられる貯水槽と、この貯水槽に溜まった水の量が見えるように前記除湿装置本体に設けた開口部と、この開口部の上方から照らすように設けられた照明部と、前記除湿装置本体に設けられた周囲の明るさを検知する照度検知部とを備え、前記照明部は、前記照度検知部が周囲が暗くなったと判断したときに点灯する構成としたものであり、周囲が暗く開口部から見える貯水槽に溜まった水の量が見にくいときのみ、照明部が点灯するので消費電力が少なくなり省エネ性が向上するという作用を有する。
【００４７】
また、請求項９記載の発明は、空気中の水分を除湿する除湿装置本体と、この除湿装置本体の下部に出し入れ自在に設けられる貯水槽と、この貯水槽に溜まった水の量が見えるように前記除湿装置本体に設けられた開口部と、この開口部を上方から照らすように設けられた照明部と、前記除湿装置本体に設けられる貯水槽の有無を検知する貯水槽検知部とを備え、前記照明部は、前記貯水槽検知部が前記貯水槽の有ることを検知したときには点灯し、前記貯水槽のないことを検知したときには消灯する構成としたものであり、貯水槽を除湿装置本体内に入れていない状態で水位の確認をする必要のないときには、照明部が消灯するので消費電力が少なくなり省エネ性が向上するという作用を有する。
【００４８】
また、請求項１０記載の発明は、空気中の水分を除湿する除湿装置本体と、この除湿装置本体の下部に出し入れ自在に設けられる貯水槽と、この貯水槽に溜まった水の量が見えるように除湿装置本体に設けられた開口部と、この開口部を上方から照らすように設けられた照明部と、この照明部をＯＮ・ＯＦＦする照明スイッチとを備え、前記照明部は、前記照明スイッチをＯＮしたときは点灯し、ＯＦＦしたときには消灯する構成としたものであり、使用者が貯水槽内の水位を知りたいときだけ照明部を点灯することができるので、無駄に照明部が点灯することがなくなり省エネ性が向上するという作用を有する。
【００４９】
また、請求項１１記載の発明は、除湿装置本体の周囲雰囲気湿度を検出する湿度センサーと、照明部に設けられた複数色の照明手段と、この照明手段の明るさを可変する調光部と、貯水槽内部に溜まった水の量により位置が変わるように設けられたフロートと、このフロートの位置を複数段階で検知する水位検知部とを備え、前記水位検知部の複数段階の入力値の値が、設定値以上になったときから前記照明部を点灯する構成としたものであり、使用者が貯水槽に溜まった水を捨てる注意を促すときのみ点灯するので、使い勝手と省エネ性が向上するという作用を有する。
【００５０】
以下、本発明の実施の形態について図面を参照しながら説明する。
【００５１】
（実施の形態１）
図１〜図５に示すように、吸込口１と排出口２を設けた箱状の除湿装置本体３内に周囲の空気を吸引および排出を行う送風ファン４と、通過する空気中の水分を吸着する吸湿材５と、吸湿材５から水分を放出するため、吸湿材５を加熱再生するための再生ヒータ６と、再生空気流路内の空気を循環させるための再生ファン７と、吸湿材５から放出される水分を凝縮させる凝縮器８と、吸込口１から吸い込まれる空気の湿度を検出する湿度センサー９と、送風ファン４と再生ヒータ６および再生ファン７の運転を制御する制御部１０と、使用者が運転モードを切り替えるための操作部１１と、除湿装置本体３の下部に出し入れ自在に設けられ、凝縮器８で凝縮された水分を貯める貯水槽１２を設ける。
【００５２】
また、操作部１１には、除湿装置の運転を開始するための電源スイッチ１３ａと、除湿運転モードを切り替える除湿切替弱スイッチ１３ｂと、除湿切替強スイッチ１３ｃおよび照明スイッチ１４からなるスイッチ入力部１３と、電源が入っていることを表示する運転表示部１５ａと除湿運転の状態を表示する弱運転表示部１５ｂと強運転表示部１５ｃと貯水槽１２が満水になったときに点灯する満水表示部１５ｄからなる表示部１５を設ける。
【００５３】
また、貯水槽１２の内部には、貯水槽１２に溜まった水の量により上下する磁石１６を設けたフロート１７が取り付けられ、貯水槽１２の前面には貯水槽１２に溜まった水の量が見える開口部１８が設けられ、フロート１７の上下移動に相対して水位検知部１９が取り付けられ、水位検知部１９は水位を検知する磁石１６の磁力により反応するホール素子２０ａ、２０ｂ、２０ｃを複数段階に設ける。
【００５４】
また、除湿装置本体３内部に設けた貯水槽１２に溜まった水の量が見える開口部１８の上に位置するところには、赤ＬＥＤ２１ａ、緑ＬＥＤ２１ｂ、および青ＬＥＤ２１ｃの照明手段２１からなる照明部２２を設け、照明部２２は調光部２３により明るさを可変できるように設け、除湿装置本体３の周囲の明るさを検知する照度検知部２４を操作部１１に設け、貯水槽１２の有無を検知する貯水槽検知部２５を設ける。
【００５５】
そして、貯水槽１２に溜まった水の量が見えるように設けられる開口部１８を上方から照射する照明部２２は、除湿装置本体３に通電時に点灯するとともに、照明スイッチ１４をオンしたときには点灯し、オフしたときには消灯するように設け、照明部２２の照明手段２１は、除湿装置本体３の周囲雰囲気湿度を検知する湿度センサー９の検知湿度に対応して点灯させる色を変えるとともに、水位検知部１９の複数段階の入力値に合わせても色を変えるよう構成する。
【００５６】
上記構成において、除湿装置を運転するため通電すると、照明部２２は点灯するとともに、除湿装置本体３内に設けた凝縮器８により空気中の水分が凝縮され、凝縮された水が下方の貯水槽１２に送られ、貯水槽１２内に凝縮された水分が溜まり、照明部２２により照射されている開口部１８から貯水槽１２内の水量がわかり、貯水槽１２内の水を捨てるときには除湿装置本体３より貯水槽１２を引き出して捨てることができる。
【００５７】
次に、除湿装置の動作を図５のフローチャートにもとづいて説明する。
【００５８】
フローチャートに示すように、ＳＴＥＰ１でスタートするように除湿装置に通電し、ＳＴＥＰ２で除湿運転の設定を行ない、ＳＴＥＰ３で照明スイッチがＯＮしていないかどうかを確認し、照明スイッチがＯＮしている場合にはＳＴＥＰ４で貯水槽検知部２５がＯＮしていないかどうかを確認し、貯水槽が装着されていることを検知されている場合には、ＳＴＥＰ５で照度検知部２４の値が設定値以上でないかどうかを確認し、設定値以上であれば、ＳＴＥＰ６で照明手段２１を消灯する。設定値以下であればＳＴＥＰ７で湿度検出を行ない、ＳＴＥＰ８で湿度が４０％以下かどうかを確認し、湿度が４０％以上のときには、ＳＴＥＰ９で湿度が６０％以下かどうかを確認し、ＳＴＥＰ８で確認された湿度が４０％以下の場合には、ＳＴＥＰ１０で赤ＬＥＤを点灯し、ＳＴＥＰ９で確認された湿度が６０％以下の場合には、ＳＴＥＰ１１で緑ＬＥＤを点灯し、湿度が６０％以上の場合にはＳＴＥＰ１２で青ＬＥＤを点灯する。
【００５９】
そして、水位検知部１９のホール素子２０ａ＝Ａ、２０ｂ＝Ｂ、２０ｃ＝Ｃとした記号を用い、ＳＴＥＰ１３で水位検知部のホール素子Ａ、Ｂ、Ｃが全部ＯＦＦの状態であるかを確認し、ＮＯの場合には、ＳＴＥＰ１４でホール素子ＡのみＯＮであるかを確認し、ＳＴＥＰ１５でホール素子Ａ、ＢがＯＮであるかを確認し、ＳＴＥＰ１６でホール素子ＢのみがＯＮであるかを確認し、ＳＴＥＰ１７ではホール素子Ｂ、ＣがＯＮであるかを確認する。
【００６０】
また、ＳＴＥＰ１３でホール素子Ａ、Ｂ、Ｃが全部ＯＦＦの場合には、ＳＴＥＰ１８で照明手段の明るさを弱とし、ＳＴＥＰ１４およびＳＴＥＰ１５でホール素子Ａまたはホール素子ＡとＢがＯＮしている場合には、照明手段２１の明るさを中とし、ＳＴＥＰ１６およびＳＴＥＰ１７でホール素子Ｂまたはホール素子ＢとＣがＯＮの場合には、ＳＴＥＰ２０で照明手段２１の明るさを強とし、ＳＴＥＰ２１で貯水槽が満水になったときには照明手段２１を点滅させる。
【００６１】
このように実施の形態１の発明によれば、空気中の水分を除湿する除湿装置本体３と、除湿装置本体３の下部に出し入れ自在に設けられる貯水槽１２と、貯水槽１２に溜まった水の量が見えるように設けられた開口部１８と、開口部１８を上方から照射するように除湿装置本体３内に設けられた照明部２２とを備え、照明部２２は除湿装置の通電時に点灯するので、貯水槽１２に溜まった水の量を見るために設けられた開口部１８が照らされているので、離れた場所からでも溜まっている水の量を容易に見ることができ、使い勝手が向上することとなる。
【００６２】
また、除湿装置本体３の周囲雰囲気温度を検出する湿度センサー９と、照明部２２に設けられる赤、緑、青等の複数色の照明手段２１とを備え、照明手段２１は、湿度センサー９の検知湿度に対応して点灯させる色を変えるので離れた場所からでも貯水槽１２の溜まった水の量が確認できるとともに、現在の湿度がどれぐらいかが容易にわかり使い勝手がさらに向上することができることとなる。
【００６３】
また、照明部２２に設けられる複数色の照明手段２１と、貯水槽１２内部に貯水された水量により位置が変わるように設けられたフロート１７と、フロート１７の位置を複数段階で検知する水位検知部１９とを備え、照明部２２に設けられた複数色の照明手段２１は、水位検知部１９の複数段階の入力値に合わせて色を変えるので、開口部１８の水位の位置が少し確認し難い離れた位置からでも色によって水位がわかるので便利となり、さらに使い勝手が向上することとなる。
【００６４】
また、除湿装置本体３の周囲雰囲気温度を検出する湿度センサー９と、照明部２２に設けられた複数色の照明手段２１と、照明手段２１の明るさを可変する調光部２３と、貯水槽１２内部に貯水された水の量により位置が変わるように設けられたフロート１７と、フロート１７の位置が複数段階で検知する水位検知部１９とを備え、照明部２２の照明手段２１は、湿度センサー９の検知湿度に合わせ点灯させる色を変えるとともに、水位検知部１９の複数段階の入力値に合わせ、調光部２３により明るさを変えるので開口部１８から見る水位の位置が少し確認し難い離れた位置からでも明るさにより水位がわかり、さらに、その色によって現在湿度もわかるという便利差が増大し、使い勝手がさらに向上することとなる。
【００６５】
また、除湿装置本体３の開口部１８の上方から照らすように設けられた照明部２２と、除湿装置本体３の周囲の明るさを検知する照度検知部２４とを備え、照明部２２は、照度検知部２４が、周囲が暗くなったと判断したときに点灯するので、周囲が暗く開口部から見える貯水槽１２に溜まった水の量が見にくいときのみ、照明部２２を点灯するので、常時点灯している場合と比較して消費電力が少なくなり省エネ性が向上することとなる。
【００６６】
また、除湿装置本体３を上方から照らすように設けられた照明部２２と、除湿装置本体３に設けられる貯水槽１２の有無を検知する貯水槽検知部２５とを備え、貯水槽検知部２５が貯水槽１２の有ることを検知したときに照明部２２は点灯し、貯水槽１２のないことを検知したときは消灯するので、貯水槽１２を除湿装置本体３内に装着していない状態の水位を確認する必要のないときには、照明部２２が消灯するので消費電力が少なくなり省エネ性が向上することとなる。
【００６７】
また、照明部２２をＯＮ、ＯＦＦする照明スイッチ１４を設け、照明部２２は、照明スイッチ１４をＯＮしたときには点灯し、ＯＦＦしたときには消灯するので、無駄に照明部２２が点灯することがなくなり、省エネ性が向上することとなる。
【００６８】
また、貯水槽１２内部に溜まった水の量により位置が変わるように設けられたフロート１７の位置を複数段階で検知する水位検知部１９を設け、水位検知部１９の複数段階の入力値が、設定値以上になったときから照明部２２を点灯するので、使用者が貯水槽１２に溜まった水を捨てる注意を促すときのみ点灯するので、使い勝手と省エネ性が向上することとなる。
【００６９】
（実施の形態２）
図６〜図９に示すように、照明部２２Ａを、赤、緑、青のチップを１つのボディ内部に入れて形成したマルチカラーＬＥＤ２６と、このマルチカラーＬＥＤ２６を駆動する駆動部２７とを設け、駆動部２７によりマルチカラーＬＥＤ２６の発光色を変化させるときにはグラディーション的に変化させる構成とする。
【００７０】
上記構成において、除湿装置本体３の内部に設けた貯水槽１２の水位を見るように設けた開口部１８を照らす照明部２２Ａの動作を図７のフローチャートにもとづいて説明する。
【００７１】
フローチャートに示すように、ＳＴＥＰ３０でスタートするように除湿装置に通電し、ＳＴＥＰ３１で除湿運転の設定を行ない、ＳＴＥＰ３２で照明スイッチがＯＮしていないかどうかを確認し、照明スイッチ１４がＯＮしている場合には、ＳＴＥＰ３３で貯水槽検知部２５がＯＮしていないかどうかを確認し、貯水槽が装着されていることを検知されている場合には、ＳＴＥＰ３４で照度検知部２４の値が設定値以上でないかどうかを確認し、設定値以上であればＳＴＥＰ３５で照明手段２１を消灯し、設定値以下であればＳＴＥＰ３６で湿度検出を行ない、ＳＴＥＰ３７で湿度が４０％以下かどうかを確認し、湿度が４０％以上のときには、ＳＴＥＰ３８で湿度が６０％以下かどうかを確認し、ＳＴＥＰ３７で確認された湿度が４０％以下の場合にはＳＴＥＰ３９でマルチカラーＬＥＤ２６の赤を点灯し、ＳＴＥＰ３８で確認された湿度が６０％以下の場合にはＳＴＥＰ４０でマルチカラーＬＥＤ２６の緑を点灯し、ＳＴＥＰ３８で確認された湿度が６０％以上の場合にはＳＴＥＰ４１でマルチカラーＬＥＤ２６の青を点灯する。
【００７２】
また、マルチカラーＬＥＤ２６を駆動部２７によりマルチカラーＬＥＤ２６の発光色を変化させると、図９に示すように、マルチカラーＬＥＤ２６の発光色は赤から緑、緑から赤、緑から青、青から緑等に変化する。このとき変化する過程においてベクトルの異なる色が重なりまざり合ってグラデーション的に変化することとなる。
【００７３】
このように実施の形態２の発明によれば、照明部２２Ａに赤、緑、青のチップを１つのボディ内部に入れたマルチカラーＬＥＤ２６を設けたので、照明部２２Ａは小形となり、除湿装置本体３内でのスペースをあまり使わなくても取り付けることができ、設計時の自由度が向上する。
【００７４】
また、照明部２２Ａに赤、緑、青のチップを１つのボディ内部に入れたマルチカラーＬＥＤ２６を駆動する駆動部２７を備え、駆動部２７はマルチカラーＬＥＤ２６の発光色を変化させる際にはグラデーション的に変化させるので、見た目の視覚性が良くなりインテリア性が向上することとなる。
【００７５】
（実施の形態３）
図１０〜図１３に示すように、貯水槽１２の内部に貯水された水の量により位置が変わるように設けたフロート１７と、このフロート１７の位置を複数段階で検知する水位検知部１９と、除湿装置本体３の外側から見える位置に設けられるＬＥＤからなる複数個の水位手段２８ａ、２８ｂ、２８ｃ、２８ｄ、２８ｅを設けた表示手段２８とを設けた水位表示部２９とを備え、水位検知部１９の出力に合わせて水位表示部２９の表示を表示手段２８により複数段階に変えるように設ける。
【００７６】
また、除湿装置本体３が運転しているときには、水位表示部２９の複数個の水位手段２８ａ、２８ｂ、２８ｃ、２８ｄ、２８ｅを順次点灯させる構成とする。
【００７７】
上記構成において、除湿装置本体３の外側から見える位置に設けられる水位表示部２９の複数個のＬＥＤからなる水位手段２８ａ、２８ｂ、２８ｃ、２８ｄ、２８ｅの消灯および点灯動作を水位検知部１９の出力と合わせて動作させる状態を図１２のフローチャートにもとづいて説明する。
【００７８】
フローチャートに示すように、ＳＴＥＰ５０でスタートするように除湿装置に通電し、ＳＴＥＰ５１で除湿運転の設定を行ない、水位検知部１９のホール素子２０ａ＝Ａ、２０ｂ＝Ｂ、２０ｃ＝Ｃとした記号を用い、ＳＴＥＰ５２で水位検知部１９のホール素子Ａ、Ｂ、Ｃが全部ＯＦＦであるかどうかを確認し、ＮＯの場合には、ＳＴＥＰ５３で水位検知部１９のホール素子ＡのみがＯＮであるかどうかを確認し、ＮＯの場合には、ＳＴＥＰ５４で水位検知部のホール素子ＡとＢがＯＮであるかどうかを確認し、ＮＯの場合には、ＳＴＥＰ５５で水位検知部１９のホール素子ＢがＯＮであるかどうかを確認し、ＮＯの場合には、ＳＴＥＰ５６で水位検知部１９のホール素子ＢとＣがＯＮであるかどうかを確認する。
【００７９】
そして、ＳＴＥＰ５２で水位検知部１９のホール素子Ａ、Ｂ、Ｃが全部ＯＦＦであるかどうかを確認したときに、ＹＥＳの場合には、ＳＴＥＰ５７で水位手段２８ａ〜２８ｅを消灯し、ＳＴＥＰ５３で水位検知部１９のホール素子ＡのみがＯＮであるかどうかを確認したときに、ＹＥＳの場合にはＳＴＥＰ５８で水位手段２８ａを点灯し、ＳＴＥＰ５４で水位検知部１９のホール素子ＡとＢがＯＮであるかどうかを確認したときに、ＹＥＳの場合にはＳＴＥＰ５９で水位手段２８ａと２８ｂを点灯し、ＳＴＥＰ５５で水位検知部１９のホール素子ＢのみがＯＮであるかどうかを確認したときにＹＥＳの場合にはＳＴＥＰ６０で水位手段２８ａ〜２８ｃを点灯し、ＳＴＥＰ５６で水位検知部１９のホール素子ＢとＣがＯＮであるかどうかを確認したときにＹＥＳの場合にはＳＴＥＰ６１で水位手段２８ａ〜２８ｄを点灯し、ＳＴＥＰ５６で水位検知部１９のホール素子ＢとＣがＯＮであるかどうかを確認したときにＮＯの場合には満水表示部および水位手段２８ａ〜２８ｅを点滅する。
【００８０】
このように実施の形態３の発明によれば、貯水槽１２内部に貯水された水の量により位置が変わるように設けられたフロート１７と、このフロート１７の位置を複数段階で検知する水位検知部１９と、複数個の水位手段２８ａ、２８ｂ、２８ｃ、２８ｄ、２８ｅを設けた表示手段２８からなる水位表示部２９とを備え、水位検知部１９の出力に合わせて水位表示部２９を複数段階に変える構成としたので、使用者が視覚的に貯水槽１２内の水がどれだけ溜まっているかがわかりやすくなり、使い勝手が向上することとなる。
【００８１】
また、除湿装置本体３が運転しているときには、水位表示部２９の複数個の水位手段２８ａ、２８ｂ、２８ｃ、２８ｄ、２８ｅを順次点灯させる構成としたので、除湿装置が除湿動作をしていることを視覚的にわかりやすくできることとなる。
【産業上の利用可能性】
【００８２】
照明部で照らして水の溜まった状態を確認しやすい技術を、水冷扇や加湿機の貯水槽の水位を確認する用途にも適用できる。
【図面の簡単な説明】
【００８３】
【図１】本発明の実施の形態１の除湿装置の構成を示す図
【図２】同除湿装置の斜視図
【図３】同除湿装置の操作部の正面図
【図４】同除湿装置のブロック図
【図５】同除湿装置の動作を示すフローチャート
【図６】本発明の実施の形態２の除湿装置の構成を示す図
【図７】同除湿装置の動作を示すフローチャート
【図８】同除湿装置のブロック図
【図９】同除湿装置のマルチカラーＬＥＤのタイミングチャート
【図１０】本発明の実施の形態３の除湿装置の構成を示す図
【図１１】同除湿装置の斜視図
【図１２】同除湿装置の動作を示すフローチャート
【図１３】同除湿装置の表示手段の点灯と消灯を示すシステムチャート
【図１４】従来の除湿機の構成を示す図
【図１５】同除湿機の斜視図
【符号の説明】
【００８４】
３      除湿装置本体
９      湿度センサー
１２    貯水槽
１４    照明スイッチ
１７    フロート
１８    開口部
１９    水位検知部
２１    照明手段
２２    照明部
２２Ａ  照明部
２３    調光部
２４    照度検知部
２５    貯水槽検知部
２６    マルチカラーＬＥＤ
２７    駆動部
２８    表示手段
２８ａ〜２８ｅ  水位手段
２９    水位表示部
【図１】
0004609205.tif 000002
【図２】
0004609205.tif 000003
【図３】
0004609205.tif 000004
【図４】
0004609205.tif 000005
【図５】
0004609205.tif 000006
【図６】
0004609205.tif 000007
【図７】
0004609205.tif 000008
【図８】
0004609205.tif 000009
【図９】
0004609205.tif 000010
【図１０】
0004609205.tif 000011
【図１１】
0004609205.tif 000012
【図１２】
0004609205.tif 000013
【図１３】
0004609205.tif 000014
【図１４】
0004609205.tif 000015
【図１５】
0004609205.tif 000016